(57)【特許請求の範囲】
【請求項１】
媒体に対してノズル列に沿う方向と交差する交差方向に相対移動する第１ノズル列から下記式で表される化合物と下記成分が含まれるインクを噴射するステップと、
前記ノズル列に沿う方向について端部が前記第１ノズル列の端部と重なる第２ノズル列から、前記媒体に対して前記交差方向に相対移動して前記インクを噴射するステップと、
を含む印刷方法において、
前記ノズル列に沿う方向に一部重なるノズル列のノズル同士が分担して共通のドットラインを形成する際に、前記一部重なる範囲において単位面積当たりに噴射するインクの量が、前記一部重ならない範囲において単位面積当たりに噴射するインクの量よりも多い、印刷方法。
成分：アミノアクリレート、テトラエチレングリコールジアクリレート、ビス（２，４，６−トリメチルベンゾイル）−フェニルフォスフィンオキサイド、２，４，６−トリメチルベンゾイル−ジフェニル−フォスフィンオキサイド、ジエチルチオキサントン
【化１】
0005764996.tif 000007
【請求項２】
前記インクは紫外線硬化型のインクであり、
紫外線を照射して前記インクを硬化させる紫外線照射装置を用いる、請求項１に記載の印刷方法。
【請求項３】
前記一部重なる範囲における単位面積当たりに噴射するインクの量は、前記一部重ならない範囲における単位面積当たりに噴射するインクの量よりも一律に増やされる、請求項１又は２に記載の印刷方法。
【請求項４】
前記共通のドットラインの形成において、前記一部重なるノズル列のノズル同士の前記インクの噴射量は均等に分担される、請求項１〜３のいずれかに記載の印刷方法。
【請求項５】
前記一部重なる範囲に対応する画像の部分について、１よりも大きな値を乗ずることにより得られた階調値に基づいて前記インクの噴射量を決定する、請求項１〜４のいずれかに記載の印刷方法。
【請求項６】
前記一部重なる範囲において噴射するインク滴のサイズを、前記一部重ならない範囲において噴射するインク滴サイズよりも大きくすることにより、前記一部重なる範囲における単位面積当たりに噴射する流体の量が多くされる、請求項１〜５のいずれかに記載の印刷方法。
【請求項７】
前記一部重なる範囲において噴射するインク滴の数を、前記一部重ならない範囲において噴射するインク滴の数よりも多くすることにより、前記一部重なる範囲における単位面積当たりに噴射するインクの量が多くされる、請求項１〜６のいずれかに記載の印刷方法。
【請求項８】
前記第１ノズル列と前記第２ノズル列とは、前記交差方向について離間して配置される、請求項１〜７のいずれかに記載の印刷方法。
【発明の詳細な説明】
【技術分野】
【０００１】
本発明は、印刷方法に関する。
【背景技術】
【０００２】
光硬化型インクジェットプリンターの市場が拡大している。インクジェットプリンターが水系や有機系の溶媒のインクを噴射する場合にはメディアが溶媒を吸収する必要があるが、光硬化型インクジェットプリンターは、メディアが溶媒を吸収しなくてもよいという利点がある。このため、さまざまな素材のメディアに適応することができる。
【０００３】
光硬化型インクジェットプリンターは、ラージサイズの看板、垂れ幕、屋内外展示広告物、自動車用ステッカー、懸垂幕、及び、内装材などの大型メディアが適用分野の一つである。そのため、印刷スピードを向上させるためヘッドも大型化する必要がある。大型化する方法として、複数のヘッドを組み合わせてキャリッジを構成する方法がある。しかしながら、隣接するノズル列の端部同士を並べるように配置すると、組み付け精度から、隣接するノズル列の端部間の距離のばらつきが、ノズルの間の距離のばらつきより大きくなるため、印刷品質に問題を生じることとなる。
【０００４】
そこで、隣接するノズル列の端部同士が重なるように配置することが提案されている。これによれば、ノズル同士が一部重なる領域（以下、重複領域ともいう）において単位面積当たりに噴射するインクの量を、非重複領域において単位面積当たりに噴射するインクの量と同じになるように噴射を制御することもできる。また、このように隣接するノズル列の端部同士が一部重なるように配置されることで、重複領域におけるノズル同士でインクの吐出量を補正することができる。
【０００５】
特許文献１には、第１ノズル列の端部と第２ノズル列の端部同士が重なるように配置されることが示されている。特許文献２には、インクの吐出量を補正する補正手段が示されている。
【先行技術文献】
【特許文献】
【０００６】
【特許文献１】特開２００９−２２６９０４号公報
【特許文献２】特開２０１０−１８８６３２号公報
【発明の概要】
【発明が解決しようとする課題】
【０００７】
光硬化型インクジェットプリンターで用いられる光硬化型インクは、光（紫外線）によって硬化する性質をもつ。そのため、光硬化型インクジェットプリンターが待機状態の際、ノズルに残存した光硬化型インクは環境光によって変化する。その変化した光硬化型インクがノズルに付着し異物となることがある。
【０００８】
このようにノズル付近に異物が固着すると、噴射されたインクが飛行曲がりを生じ、所望の位置にインクが着弾しないことがある。所望の位置にインクが着弾しないと、インクが重複して着弾する画素が生ずる一方、インクが着弾しない画素も生ずるようになる。このような領域では濃度が低くなり、描画品質を低下させる。特に、重なる二つのノズル列が画像を形成する領域において、一方のノズル列が適切にインクを噴射させ、他方のノズル列に飛行曲がりが生ずる場合などには、この傾向が顕著に表れる。
【０００９】
また、重なる複数のノズル列が画像を形成する領域では、搬送時における媒体の蛇行の影響が加わることから、インクが着弾しない画素が生じてしまう確率がより増加することも考えられる。よって、重なる複数のノズル列のノズルが画像を形成する領域において、描画品質を低下させないことが望まれる。
【００１０】
本発明は、このような事情に鑑みてなされたものであり、重なる複数のノズル列のノズルが画像を形成する領域において、描画品質を低下させないことを目的とする。
【課題を解決するための手段】
【００１１】
上記目的を達成するための主たる発明は、
媒体に対してノズル列に沿う方向と交差する交差方向に相対移動する第１ノズル列から下記式で表される化合物と下記成分が含まれるインクを噴射するステップと、
前記ノズル列に沿う方向について端部が前記第１ノズル列の端部と重なる第２ノズル列から、前記媒体に対して前記交差方向に相対移動して前記インクを噴射するステップと、
を含む印刷方法において、
前記ノズル列に沿う方向に一部重なるノズル列のノズル同士が分担して共通のドットラインを形成する際に、前記一部重なる範囲において単位面積当たりに噴射するインクの量が、前記一部重ならない範囲において単位面積当たりに噴射するインクの量よりも多い、印刷方法である。
成分：アミノアクリレート、テトラエチレングリコールジアクリレート、ビス（２，４，６−トリメチルベンゾイル）−フェニルフォスフィンオキサイド、２，４，６−トリメチルベンゾイル−ジフェニル−フォスフィンオキサイド、ジエチルチオキサントン
【化１】
0005764996.tif 000002
【００１２】
これにより、ノズルに存在する光硬化型インクが環境光によって変化したとしても、ノズルに付着し異物となることが低減されるため、第１ノズル列の端部と第２ノズル列の端部同士が重なる部分の描画品質の低下を抑制することができる。
【００１３】
本発明の他の特徴については、本明細書及び添付図面の記載により明らかにする。
【図面の簡単な説明】
【００１４】
【図１】実施例におけるプリンター１の概略側面図である。
【図２】実施例におけるプリンター１の概略上面図である。
【図３】実施例におけるプリンター１のブロック図である。
【図４】図４Ａは、ヘッドユニット４１に設けられたヘッド４１１Ａ、４１１Ｂの配列を示す図であり、図４Ｂは、ヘッド４１１Ａ、４１１Ｂの下面のノズル配列を示す図である。
【図５】仮硬化ユニット８０におけるＬＥＤアセンブリユニット８１の説明図である。
【図６】実施例における重複領域のインク量の説明図である。
【図７】ドットが形成される画素を説明する図である。
【図８】他の実施例における重複領域のインク量の説明図である。
【発明を実施するための形態】
【００１５】
本明細書及び添付図面の記載により、少なくとも、以下の事項が明らかとなる。
【００１６】
媒体に対してノズル列に沿う方向と交差する交差方向に相対移動する第１ノズル列から下記式で表される化合物が含まれるインクを噴射するステップと、
前記ノズル列に沿う方向について端部が前記第１ノズル列の端部と重なる第２ノズル列から、前記媒体に対して前記交差方向に相対移動して前記インクを噴射するステップと、
を含む印刷方法において、
前記ノズル列に沿う方向に一部重なるノズル列のノズル同士が分担して共通のドットラインを形成する際に、前記一部重なる範囲において単位面積当たりに噴射するインクの量が、前記一部重ならない範囲において単位面積当たりに噴射するインクの量よりも多い、印刷方法。
【化２】
0005764996.tif 000003
【００１７】
複数のノズル列が重なる範囲におけるノズルからインクを噴射して印刷を行った場合、搬送時における媒体の蛇行の影響もありインクが適切な位置に着弾せず、ノズル列が重ならない範囲に比してインクが着弾しない画素の割合が多くなる場合がある。しかしながら、上述のような印刷装置によれば、複数のノズル列が重なる範囲のインクの噴射量を予め増やしてあるので、インクが着弾しない画素も埋めることができるようになる。そして、描画品質の低下を抑制することができる。さらに、ノズルに存在する光硬化型インクが環境光によって変化したとしても、ノズルに付着し異物となることが低減されるため、第１ノズル列の端部と第２ノズル列の端部同士が重なる部分の描画品質の低下を抑制することができる。
【００１８】
また、前記インクは紫外線硬化型のインクであり、紫外線を照射して前記インクを硬化させる紫外線照射装置を備えることが望ましい。  
このような場合であっても、ノズルに存在する光硬化型インクが環境光によって変化したとしても、ノズルに付着し異物となることが低減されるため、第１ノズル列の端部と第２ノズル列の端部同士が重なる部分の描画品質の低下を抑制することができる。
【００１９】
また、前記一部重なる範囲における単位面積当たりに噴射するインクの量は、前記一部重ならない範囲における単位面積当たりに噴射するインクの量よりも一律に増やされることが望ましい。  
このようにすることによって、一部重なる範囲における単位面積当たりに噴射するインク量を増やして、描画品質の低下を抑制することができる。
【００２０】
また、前記共通のドットラインの形成において、前記一部重なるノズル列のノズル同士の前記インクの噴射量は均等に分担されることが望ましい。  
このようにすることによって、インクの噴射を第１ノズル列と第２ノズル列とに分散させることができる。
【００２１】
また、前記一部重なる範囲に対応する画像の部分について、１よりも大きな値を乗ずることにより得られた階調値に基づいて前記インクの噴射量を決定することが望ましい。  
このようにすることによって、一部重なる範囲のインクの噴射量を適切に増やすことができる。
【００２２】
また、前記一部重なる範囲において噴射するインク滴のサイズを、前記一部重ならない範囲において噴射するインク滴サイズよりも大きくすることにより、前記一部重なる範囲における単位面積当たりに噴射する流体の量が多くされることとしてもよい。  
このようにすることによって、単位面積当たりに噴射するインク量を適切に増やすことができる。
【００２３】
また、前記一部重なる範囲において噴射するインク滴の数を、前記一部重複重ならない範囲において噴射するインク滴の数よりも多くすることにより、前記一部重なる範囲における単位面積当たりに噴射するインクの量が多くされることが望ましい。  
このようにすることによっても、単位面積当たりに噴射するインク量を適切に増やすことができる。
【００２４】
また、前記第１ノズル列と前記第２ノズル列とは、前記第１方向について離間して配置されることが望ましい。  
このように、媒体の蛇行の影響が大きく現れるような構成で、ノズル列が重ならない範囲に比してインクが着弾しない画素の割合が多くなる場合であっても、上述のような印刷装置によれば、複数のノズル列が重なる範囲のインクの噴射量を予め増やしてあるので、適切にインクが画素を埋めることができるようになる。そして、描画品質の低下を抑制することができる。
【００２５】
＝＝＝実施例＝＝＝
［１］プリンター１の構成
実施例におけるプリンター１は、４色のカラーインク（イエローインクＹ、マゼンタインクＭ、シアンインクＣ、ブラックインクＫ）を噴射可能である。実施例で使用されるこれらのインクは、光硬化型インク（紫外線硬化型インク）である。
【００２６】
図１は、実施例におけるプリンター１の概略側面図である。図２は、実施例におけるプリンター１の概略上面図である。図３は、実施例におけるプリンター１のブロック図である。以下、これらの図を参照しつつ、プリンター１の構成について説明を行う。
【００２７】
図３には、プリンター１とコンピューター１１０が示されている。プリンター１は、用紙搬送ユニット１０とヘッドユニット４０と検出器群５０とコントローラー６０と駆動信号生成回路７０と仮硬化ユニット８０と本硬化ユニット９０を備える。
【００２８】
用紙搬送ユニット１０は、搬送ローラー１１Ａ、第１押さえローラー１１Ｂ、排紙ローラー１２Ａ、及び、第２押さえローラー１２Ｂを含む。搬送ローラー１１Ａ及び排紙ローラー１２Ａは不図示のモーターに接続されており、モーターの回転はコントローラー６０によって制御される。そして、搬送ローラー１１Ａと第１押さえローラー１１Ｂに挟み込まれることで、媒体は搬送方向に搬送される。また、排紙ローラー１２Ａと第２押さえローラー１２Ｂに挟み込まれることで、媒体は搬送方向に搬送され排紙される。
【００２９】
ヘッドユニット４０は、イエローヘッドユニット４１−１、マゼンタヘッドユニット４１−２、シアンヘッドユニット４１−３、ブラックヘッドユニット４１−４を含む。また、これらヘッドユニットの構成については後述する。
【００３０】
検出器群５０は、プリンター１の各部の情報を検出してコントローラー６０に送る様々な検出器をあらわす。
【００３１】
コントローラー６０は、プリンター１の制御を行うための制御ユニットである。コントローラー６０は、ＣＰＵ６１と、メモリー６２と、インターフェース部６３とを有する。ＣＰＵ６１は、プリンター全体の制御を行うための演算処理装置である。メモリー６２は、ＣＰＵ６１のプログラムを格納する領域や作業領域等を確保するためのものであり、ＲＡＭ、ＥＥＰＲＯＭ等の記憶素子を有する。ＣＰＵ６１は、メモリー６２に格納されているプログラムに従って、各ユニットを制御する。インターフェース部６３は、外部装置であるコンピューター１１０とプリンター１との間でデータの送受信を行う。
【００３２】
駆動信号生成回路７０は、後述するヘッドに含まれるピエゾ素子などの駆動素子に印加してインク滴を吐出させるための駆動信号を生成する。駆動信号生成回路７０は、不図示のＤＡＣを含む。そして、コントローラー６０から送られた駆動信号の波形に関するデジタルデータに基づいて、アナログの電圧信号を生成する。また、駆動信号生成回路７０は不図示の増幅回路も含んでおり、生成された電圧信号について電力増幅を行い、駆動信号を生成する。
【００３３】
仮硬化ユニット８０は、媒体に着弾した紫外線硬化型のインクに対して紫外線を照射して着弾したインクを仮硬化（以下、「仮硬化」のことを「ピニング」と呼ぶことがある）させる。すなわち、媒体に着弾したインク表面の粘度を高め、インクの移動を抑制する。このように、着弾したインクの表面の粘度を高めることによって、さらにそのインクの近傍に別のインクが着弾した場合であっても、インク同士を移動しにくくすることができる。すなわち、インク同士の一体化を抑制することができる。
【００３４】
仮硬化ユニット８０は、４セットのＬＥＤアセンブリユニット８１−１〜８１−４を含む。これらＬＥＤアセンブリユニット８１−１〜８１−４は、媒体Ｍの搬送方向上流側において噴射されたインクを仮硬化させる。ＬＥＤアセンブリユニット８１の構成については後述する。
【００３５】
本硬化ユニット９０は、本硬化用光源ユニット９１を含む。本硬化用光源ユニット９１は、図２に示されるように搬送方向において最下流に配置される。そして、媒体Ｍに紫外線を含む光を照射し、媒体Ｍに着弾した各インクを本硬化させる。本硬化では、実施例における本硬化用光源ユニット９１の光源にはメタルハライドランプが使用される。
【００３６】
＜ノズル配置について＞
図４Ａは、ヘッドユニット４１に設けられたヘッド４１１Ａ、４１１Ｂの配列を示す図であり、図４Ｂは、ヘッド４１１Ａ、４１１Ｂの下面のノズル配列を示す図である。実施例のプリンター１では、図４Ａに示すように、搬送方向と交差する紙幅方向に複数のヘッド４１１Ａ、４１１Ｂを並べて配置し、各ヘッド４１１Ａ、４１１Ｂの端部を重複させて配置している。また、紙幅方向に隣り合うヘッド４１１Ａ，４１１Ｂを搬送方向にずらして配置している（千鳥状に配置している）。紙幅方向に隣り合うヘッド４１１Ａ，４１１Ｂのうち、搬送方向下流側のヘッド４１１Ａを「下流側ヘッド４１１Ａ」と呼び、搬送方向上流側のヘッド４１１Ｂを「上流側ヘッド４１１Ｂ」と呼ぶ。また、紙幅方向に隣り合うヘッド４１１Ａ，４１１Ｂを合わせて「隣接ヘッド」と呼ぶ。
【００３７】
図４Ｂでは、ヘッドの上部から透過的にノズルを見ている。図４Ｂに示すように、各ヘッド４１１Ａ、４１１Ｂの下面には、ブラックインクを噴射するブラックノズル列Ｋが形成されている。各ノズル列は３５８個のノズル（＃１〜＃３５８）から構成されている。また、各ノズル列のノズルは紙幅方向に一定の間隔（例えば７２０ｄｐｉ）で並んでいる。なお、各ノズル列に属するノズルに対して、紙幅方向の左側から順に小さい番号を付す（＃１〜＃３５８）。
【００３８】
そして、紙幅方向に並ぶヘッド４１１Ａ，４１１Ｂは、各ヘッドのノズル列の端部の８個のノズルを重複させて配置している。具体的には、下流側ヘッド４１１Ａのノズル列の左側端部の８個のノズル（＃１〜＃８）と上流側ヘッド４１１Ｂのノズル列の右側端部の８個のノズル（＃３５１〜＃３５８）を重複させ、下流側ヘッド４１１Ａのノズル列の右側端部の８個のノズル（＃３５１〜＃３５８）と上流側ヘッド４１１Ｂのノズル列の左側端部の８個のノズル（＃１〜＃８）を重複させている。図示するように、隣接ヘッド４１１Ａ，４１１Ｂにおいて、ノズルが重複している部分を「重複領域」と呼ぶ。また、重複領域に属するノズル（＃１〜＃８，＃３５１〜＃３５８）を「重複ノズル」と呼ぶ。
【００３９】
また、紙幅方向に並ぶヘッド４１１Ａ，４１１Ｂの端部にて重複しているノズルの紙幅方向の位置は一致している。即ち、下流側ヘッド４１１Ａの端部ノズルの紙幅方向の位置と、それに対応する上流側ヘッド４１１Ｂの端部ノズルの紙幅方向の位置が等しい。例えば、下流側ヘッド４１１Ａの最も左端のノズル＃１と上流側ヘッド４１１Ｂの右から８番目のノズル＃３５１との紙幅方向の位置は等しく、下流側ヘッド４１１Ａの左から８番目のノズル＃８と上流側ヘッド４１１Ｂの最も右端のノズル＃３５８との紙幅方向の位置は等しい。また、下流側ヘッド４１１Ａの最も右端のノズル＃３５８と上流側ヘッド４１１Ｂの左から８番目のノズル＃８との紙幅方向の位置は等しく、下流側ヘッド４１１Ａの右から８番目のノズル＃３５１と上流側ヘッド４１１Ｂの最も左端のノズル＃１との紙幅方向の位置は等しい。
【００４０】
このように各色のヘッドユニット４１において複数のヘッド４１１Ａ、４１１Ｂを配置することで、紙幅方向の全域に亘ってノズルを等間隔（７２０ｄｐｉ）に並ばせることができる。その結果、等間隔（７２０ｄｐｉ）にドットが並んだドット列を紙幅長さに亘って形成することができる。
【００４１】
＜照射装置について＞
図５は、仮硬化ユニット８０におけるＬＥＤアセンブリユニット８１の説明図である。仮硬化ユニット８０は、４セットのＬＥＤアセンブリユニット８１−１〜８１−４を含む。これら４つのＬＥＤアセンブリユニット８１は、共通の構成のものが用いられ、製造コストが削減されている。ＬＥＤアセンブリユニット８１は、複数のＬＥＤ８３１により構成される。これにより、印刷される媒体の幅よりも幅広の照射領域を提供する。
【００４２】
本硬化用光源ユニット９１もＬＥＤアセンブリユニット８１と同様にＬＥＤが複数並べられることにより構成されている。但し、インクを本硬化させるために、ＬＥＤの個数が仮硬化ユニット８０のものより増やされている。
【００４３】
尚、本硬化用光源ユニット９１では、本硬化させるために、仮硬化ユニット８０とは異なる波長の光を照射することとしてもよいし、その強度を強めることとしてもよい。
【００４４】
図６は、実施例における重複領域のインク量の説明図である。ここでは、重複領域におけるインク量を非重複領域におけるインク量よりも一律に増やすこととしている。例えば、媒体の全面に濃度１００％のベタ印刷を行う際、非重複領域では１００％のデューティで印刷を行うのに対し、重複領域では１００％を超えるデューティで印刷を行う。ここで、デューティとは、画素に対するインクの打ち込み量である。ここでは、デューティが１００％のときにおいて、全ての画素が単色のインクで埋め尽くされる量となっている。本実施形態におけるプリンター１では、各ノズルにおいてインクを噴射できる最高量は、デューティが１００％のときである。重複領域ではノズル列が重複するため１００％を超えるデューティでの印刷を行うことができる。このように、重複領域の単位面積当たりに噴射されるインク量は、非重複領域の単位面積当たりに噴射されるインク量より一律に増やされている。
【００４５】
図７は、ドットが形成される画素を説明する図である。図には、上流側ヘッド４１１Ｂのノズル列と下流側ヘッド４１１Ａとが示されている。また、これらのノズルの下には、ドットが形成される画素がセル状に示されている。図において、各ノズルに付されたハッチングの方向と、そのノズルがドットの形成を受け持つ画素のハッチングの方向とを一致させてある。図に示されるように、重複領域では２つのノズル列が分担してドットの形成を行うことになる。
【００４６】
重複領域において、上流側ヘッド４１１Ｂのノズルと下流側ヘッド４１１Ａとの両方でインクを噴射する画素が存在する。このような画素は、図において、右上がりのハッチングと左上がりのハッチングとの両方のハッチングが施されている。このようにすることで、重複領域の単位面積当たりに噴射されるインク量を非重複領域の単位面積当たりに噴射されるインク量よりも増やすことができる。
【００４７】
また、重複領域の単位面積当たりに噴射されるインク量を増やす手法はこれに限られない。例えば、重複領域において噴射するインク滴のサイズを非重複領域において噴射するインク滴のサイズよりも大きくすることによっても、重複領域の単位面積当たりに噴射されるインク量を増やすことができる。
【００４８】
このように、重複領域におけるインク量を非重複領域におけるインク量よりも多くするためには、印刷する画像の階調値のデータについて、重複領域において一律に「１」を超える値を乗ずることで実現することができる。たとえば、重複領域におけるインク量を非重複領域のインク量よりも５％増やす場合、重複領域のノズルが形成する部分に対応する各画素の階調値に対して１．０５を乗じた階調値を求める。そして、このように補正された階調値に対して、形成するドットサイズの振り分け処理、ディザ処理、及び、形成するドットの第１ノズル列と第２ノズル列への振り分け処理等を施す。このようにすることによって、重複領域に噴射されるインク量を増やすことができる。
【００４９】
図８は、他の実施例における重複領域のインク量の説明図である。前述の図６に示す重複領域のインク量は、一定量を重複領域の全ノズルが増やすことにより実現されていた。図８では、非重複領域のノズルに近いノズルほどインクの噴射量は大きく、ノズル列の端部に近づくほどその噴射量は小さくなるように設定されている。
【００５０】
このようにすることで、重複領域のインク量を増やし、重複領域の濃度を高めて印刷を行うことができる。また、実施例では、インク周辺でのインクの固化を抑制して飛行曲がりを生じにくくし、さらに画質の劣化を抑制するべく、以下のようなインクを使用することとしている。
【００５１】
［２］放射線硬化型インク組成物の調製
［２．１］実施例１〜８のインク組成
実施例１〜８におけるインクは以下の物質を含有する。含有する質量％については、後述する表に示す。  
・アミノアクリレート
・テトラエチレングリコールジアクリレート
・ビス（２，４，６−トリメチルベンゾイル）−フェニルフォスフィンオキサイド
・２，４，６−トリメチルベンゾイル−ジフェニル−フォスフィンオキサイド
・ジエチルチオキサントン
・下記式（化１）で表される化合物
0005764996.tif 000004
【００５２】
［２．２］比較例１のインク組成
比較例１におけるインクは以下の物質を含有する。含有する質量％については、後述する表に示す。
【００５３】
・アミノアクリレート
・テトラエチレングリコールジアクリレート
・ビス（２，４，６−トリメチルベンゾイル）−フェニルフォスフィンオキサイド
・２，４，６−トリメチルベンゾイル−ジフェニル−フォスフィンオキサイド
・ジエチルチオキサントン
・アクリル酸２−（２−ビニロキシエトキシ）エチル（ＣＡＳ：８６２７３−４６−３）（日本触媒社製）
【００５４】
［２．３］比較例２のインク組成
比較例１におけるインクは以下の物質を含有する。含有する質量％については、後述する表に示す。  
・アミノアクリレート
・テトラエチレングリコールジアクリレート
・ビス（２，４，６−トリメチルベンゾイル）−フェニルフォスフィンオキサイド
・２，４，６−トリメチルベンゾイル−ジフェニル−フォスフィンオキサイド
・ジエチルチオキサントン
・メタクリル酸２−（２−ビニロキシエトキシ）エチル（ＣＡＳ：７６３９２−２２−８）（日本触媒社製）
【表１】
0005764996.tif 000005
【００５５】
［３］液滴噴射の安定性評価（噴射安定性評価）
前記各実施例および比較例の光硬化型インクを用いて、下記に示すような試験による評価を行った。
【００５６】
［３．１］着弾位置精度評価
チャンバー（サーマルチャンバー）内に設置したプリンター１および前記各実施例および比較例の光硬化型インクセットを用意し、ピエゾ素子の駆動波形を最適化した状態で、２５℃、５５％ＲＨの環境下で、各色のインクについて、ヘッドの各ノズルから、２００００００発（２００００００滴）の液滴の連続噴射を行った。その後、プリンター１の運転を停止し、プリンター１の流路に各インクが充填された状態で、２５℃、５５％ＲＨの環境下に、１２０時間放置した。
【００５７】
その後、ヘッドの各ノズルから、２５℃、５５％ＲＨの環境下で、３００００００発（３００００００滴）の液滴の連続噴射を行った。上記１２０時間放置した後の、ヘッドの中央部付近の指定したノズルから吐出された３００００００発の液滴について、着弾した各液滴の中心位置の中心狙い位置からのズレ量ｄの平均値を求め、以下の５段階の基準に従い、評価した。この値が小さいほど飛行曲がりの発生が効果的に防止されていると言える。  
Ａ：ズレ量ｄの平均値が０．０９μｍ未満。  
Ｂ：ズレ量ｄの平均値が０．０９μｍ以上０．１５μｍ未満。  
Ｃ：ズレ量ｄの平均値が０．１５μｍ以上０．１８μｍ未満。  
Ｄ：ズレ量ｄの平均値が０．１８μｍ以上０．２２μｍ未満。  
Ｅ：ズレ量ｄの平均値が０．２２μｍ以上。
【００５８】
［３．２］液滴噴射量の安定性評価
上記［３．１］の評価に用いたプリンター１について、上記３００００００発（３００００００滴）の液滴の連続噴射の後、再びプリンター１の運転を停止し、プリンター１の流路に各インクが充填された状態で、２５℃、５５％ＲＨの環境下に、６０時間放置した。
【００５９】
その後、ヘッドの各ノズルから、２５℃、５５％ＲＨの環境下で、１５０００００発（１５０００００滴）の液滴の連続噴射を行った。ヘッドの左右両端の指定の２つのノズルについて、噴射された液滴の総重量を求め、上記２つのノズルから噴射された液滴の平均噴射量の差の絶対値ΔＷ［ｎｇ］を求めた。このΔＷの、液滴の目標噴射量ＷＴ［ｎｇ］に対する比率（ΔＷ／ＷＴ）を求め、以下の５段階の基準に従い、評価した。ΔＷ／ＷＴの値が小さいほど、液滴噴射量の安定性に優れていると言える。  
Ａ：ΔＷ／ＷＴの値が、０．０９０未満。  
Ｂ：ΔＷ／ＷＴの値が、０．０９０以上０．３２０未満。  
Ｃ：ΔＷ／ＷＴの値が、０．３２０以上０．６２０未満。  
Ｄ：ΔＷ／ＷＴの値が、０．６２０以上０．８４０未満。  
Ｅ：ΔＷ／ＷＴの値が、０．８４０以上。
【００６０】
［３．３］間欠印字性能評価
上記［３．２］の評価に用いたプリンター１について、上記１５０００００発（１５０００００滴）の液滴の連続噴射の後、再びプリンター１の運転を停止し、プリンター１の流路に各インクが充填された状態で、２５℃、５５％ＲＨの環境下に、６０時間放置した。
【００６１】
その後、ヘッドの各ノズルから、２５℃、５５％ＲＨの環境下で、２０００００発（２０００００滴）の液滴の連続噴射を行い、その後、１８０秒間、液滴の噴射を中断した（１シーケンス目）。その後、同様に、液滴の連続噴射、および、滴々の噴射の中断の操作を繰り返し行った。ヘッドの中央部付近の指定したノズルについて、１シーケンス目に吐出された液滴の平均重量Ｗ１［ｎｇ］と、３０シーケンス目に吐出された液滴の平均重量Ｗ３０［ｎｇ］とを求めた。そして、Ｗ１とＷ３０との差の絶対値の、液滴の目標噴射量ＷＴ［ｎｇ］に対する比率（｜Ｗ１−Ｗ３０｜／ＷＴ）を求め、以下の５段階の基準に従い、評価した。｜Ｗ１−Ｗ３０｜／ＷＴの値が小さいほど、間欠印字性能（液滴噴射量の安定性）に優れていると言える。  
Ａ：｜Ｗ１−Ｗ３０｜／ＷＴの値が、０．０６０未満。  
Ｂ：｜Ｗ１−Ｗ３０｜／ＷＴの値が、０．０６０以上０．１５０未満。  
Ｃ：｜Ｗ１−Ｗ３０｜／ＷＴの値が、０．１５０以上０．４７０未満。  
Ｄ：｜Ｗ１−Ｗ３０｜／ＷＴの値が、０．４７０以上０．７３０未満。  
Ｅ：｜Ｗ１−Ｗ３０｜／ＷＴの値が、０．７３０以上。
【００６２】
［３．４］連続噴射試験
上記［３．３］の評価に用いたプリンター１について、上記３０シーケンス目の液滴噴射の後、再びプリンター１の運転を停止し、プリンター１の流路に各インクが充填された状態で、２５℃、５５％ＲＨの環境下に、６０時間放置した。
【００６３】
その後、ヘッドの各ノズルから、２５℃、５５％ＲＨの環境下で、プリンター１を２００時間、連続で運転させることにより、光硬化型インクセットを構成する各インクの噴射を行った。
【００６４】
連続運転後における、ヘッドを構成するノズルの目詰まりの発生率（［（目詰まりノズル数）／（全ノズル数）］×１００）を求め、ノズルの目詰まりが発生しているものについては、可塑材料で構成されたクリーニング部材により、目詰まりの解消が可能であるか否かを調べた。その結果を、以下の５段階の基準に従い、評価した。  
Ａ：ノズルの目詰まりの発生がない。  
Ｂ：ノズルの目詰まりの発生率が０．７％未満（ただし、ゼロを除く）であり、かつ、クリーニングによる目詰まりの解消が可能。  
Ｃ：ノズルの目詰まりの発生率が０．７％以上１．２％未満であり、かつ、クリーニングによる目詰まりの解消が可能。  
Ｄ：ノズルの目詰まりの発生率が１．２％以上１．５％未満であり、かつ、クリーニングによる目詰まりの解消が可能。  
Ｅ：ノズルの目詰まりの発生率が１．５％以上、または、クリーニングによる目詰まりの解消が不可能。  
なお、上記の評価は、実施例および比較例について、同様の条件で行った。
【００６５】
［４］印刷物の製造
上記［３．４］の評価に用いたプリンター１について、上記２００時間の連続運転の後、再びプリンター１の運転を停止し、プリンター１の流路に各インクが充填された状態で、２５℃、５５％ＲＨの環境下に、６０時間放置した。
【００６６】
その後、ポリエチレンテレフタレート（ＰＥＴ）で構成された基材上に、所定のパターンで、光硬化型インクを噴射した。  
その後、３６５ｎｍ、３８０ｎｍ、３９５ｎｍの波長に極大値を有するスペクトルの紫外線を照射を、照射強度１８０ｍＷ／ｃｍ２を２０秒間照射し、基材上の光硬化型インクを硬化させ、印刷物としてのインテリアパネルを得た。  
上記のような方法を用いて、実施例および比較例の光硬化型インク（光硬化型インクセット）を用いて、それぞれ、１０個の印刷物を製造した。
【００６７】
［５］印刷物の評価
上記のようにして得られた各印刷物について、以下のような評価を行った。
【００６８】
［５．１．１］印刷物の外観評価
前記実施例および比較例で製造した各印刷物を目視により観察し、色むら、濃度むらの発生状況について判断し、以下の７段階の基準に従い、評価した。  
Ａ：極めて優れた外観を有している。  
Ｂ：非常に優れた外観を有している。  
Ｃ：優れた外観を有している。  
Ｄ：良好な外観を有している。  
Ｅ：外観がやや不良。  
Ｆ：外観が不良。  
Ｇ：外観が極めて不良。
【００６９】
［５．１．２］印刷物の外観評価（第１ノズル列の端部と第２ノズル列の端部同士が重なる部分に係る）
前記実施例および比較例で製造した各印刷物を目視により観察し、色むら、濃度むらの発生状況について判断し、以下の７段階の基準に従い、評価した。  
Ａ：極めて優れた外観を有している。  
Ｂ：非常に優れた外観を有している。  
Ｃ：優れた外観を有している。  
Ｄ：良好な外観を有している。  
Ｅ：外観がやや不良。  
Ｆ：外観が不良。  
Ｇ：外観が極めて不良。
【００７０】
［５．２］個体間での特性差
前記実施例および比較例について、それぞれ１０個の印刷物を目視により観察し、外観（審美性）の均一性を以下の４段階の基準に従い、評価した。  
Ａ：外観の均一性が非常に優れている。  
Ｂ：外観の均一性に優れている。  
Ｃ：外観の均一性がやや劣っている。  
Ｄ：外観の均一性に劣っている。
【００７１】
これらの結果を表２に示す。
【表２】
0005764996.tif 000006
【００７２】
このように、実施例１〜８のインク組成であると、各評価において比較例１及び比較例２に比して良好な結果が得られている。特に、実施例１の組成のインクを用いた場合、全ての評価が「Ａ」であり、最も良好な結果が得られた。
【００７３】
比較例のインクは低エネルギーの紫外線でも硬化しやすいため、自然光によってノズル周辺のインクが固化しやすい。このようなインクの固化は、液滴噴射の安定性評価において悪影響を与える。また、ノズル周辺でインクが固化すると、噴射後に飛行曲がりが生じ着弾位置精度が悪化し、特に、ノズル列の重複領域において白スジを発生させるなど、濃度むらを発生させやすい。
【００７４】
一方、実施例１〜８のインクは、上記（化１）で表される化合物を含むため低エネルギーの紫外線では硬化しにくい。よって、自然光によってノズル周辺のインクが固化しにくい。その結果、液滴噴射の安定性評価において良好な評価が得られたものと考えられる。
【００７５】
このように、実施例１〜８のインクを用いることで液滴の噴射特性が良好となるので、ノズル列の重複領域における画像品質を良好に保つことができる。さらに、仮に自然光における紫外線によりノズル周辺のインクの固化が発生した場合であっても、実施例のプリンター１であれば、ノズル列の重複領域における濃度低下を抑制して、画像品質の低下を抑制することができる。
【００７６】
＝＝＝その他の実施の形態＝＝＝
上記の各実施形態は、主としてインクジェットプリンターを有する印刷システムについて記載されているが、濃度むら補正方法等の開示が含まれている。また、上記の実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。特に、以下に述べる実施形態であっても、本発明に含まれるものである。
【００７７】
＜プリンターについて＞
前述の実施形態では、紙幅長さに亘って複数のヘッドを並べ、固定されたヘッドの下を用紙が搬送されることによって画像を形成するプリンター（所謂ラインヘッドプリンター）を例に挙げているが、これに限らない。例えば、複数のヘッドの各ノズル列の端部が重複するように、複数のヘッドをノズル列方向に並べる。そして、その複数のヘッドを用紙に対してノズル列方向と交差する方向に移動しながら画像を形成する動作と、複数のヘッドに対して用紙をノズル列方向に搬送する動作と、を交互に繰り返すプリンター（所謂シリアル式のプリンター）であってもよい。このようなプリンターを採用する場合であっても、各ヘッドが重複する領域について、前述の実施例と同様に、重複しない領域よりも沿うインク量を増やすように印刷を行うことができる。
【００７８】
＜印刷装置について＞
前述の実施形態では、印刷装置としてインクジェットプリンターを例示していたが、これに限らない。印刷装置であれば、プリンターではなく、様々な工業用印刷装置に適用可能である。例えば、布地に模様をつけるための捺染装置、カラーフィルター製造装置や有機ＥＬディスプレイ等のディスプレイ製造装置、チップへＤＮＡを溶かした溶液を塗布してＤＮＡチップを製造するＤＮＡチップ製造装置等であっても、本件発明を適用することができる。  
また、流体の噴射方式は、駆動素子（ピエゾ素子）に電圧をかけて、インク室を膨張・収縮させることにより流体を噴射するピエゾ方式でもよいし、発熱素子を用いてノズル内に気泡を発生させ、その気泡によって液体を噴射させるサーマル方式でもよい。また、流体はインクなどの液体に限らず、粉体などでもよい。
【符号の説明】
【００７９】
１  プリンター、
１０  用紙搬送ユニット、
１１Ａ  搬送ローラー、１１Ｂ  第１抑えローラー、
１２Ａ  排紙ローラー、１２Ｂ  第２抑えローラー、
４０  ヘッドユニット、
５０  検出器群、
６０  コントローラー、
６１  ＣＰＵ、６２  メモリー、６３  インターフェース部、
７０  駆動信号生成回路、
８０  仮硬化ユニット８０、
９０  本硬化ユニット、
９１  本硬化用光源ユニット、
Ｍ  媒体
【図１】
0005764996.tif 000008
【図２】
0005764996.tif 000009
【図３】
0005764996.tif 000010
【図４】
0005764996.tif 000011
【図５】
0005764996.tif 000012
【図６】
0005764996.tif 000013
【図７】
0005764996.tif 000014
【図８】
0005764996.tif 000015